(57)【特許請求の範囲】
【請求項１】
略箱型で下面開口のケースと、このケースの下方に配置され上記ケースに所定箇所を固定された配線基板と、この配線基板上に設けられ、上記ケース上面に突出した操作体の操作によって電気的接離を行うスイッチ接点と、上記ケースと上記配線基板の間に配置された略平板状の表示体と、この表示体の側端下面と上記配線基板との間に配置されこれらに弾接した弾性導電接続体と、上記スイッチ接点の電気的接離に応じて、送信部からリモコン信号を送信する制御部からなり、絶縁樹脂製で略直方体の補強体を上記表示体と上記配線基板との間に配置すると共に上記弾性導電接続体に隣接させ、上記表示体の長手方向の外側で上記配線基板を上記ケースにビスにより固定し、上記配線基板が上記ケースに固定された上記長手方向の位置の少なくとも略中間位置で、かつ上記弾性導電接続体の内側で、上記配線基板を上記補強体にビスにより固定して、上記配線基板を上記補強体の底面に当接固定させたリモコン送信機。
【請求項２】
補強体を略額縁状の枠部内に複数の桟部を格子状に配列して、一体に形成した請求項１記載のリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高性能化が進むなか、これらを遠隔操作するリモコン送信機においても、液晶パネル等の表示体を設けて操作状態を視認しながら、多様な操作を行えるものが増えている。
【０００３】
このような従来のリモコン送信機について、図３及び図４を用いて説明する。
【０００４】
図３は従来のリモコン送信機の断面図、図４は同分解斜視図であり、同図において、１は略箱型で絶縁樹脂製の上ケース、２はゴム等の操作体で、操作体２には下方の略ドーム状の薄肉部によって、各々連結形成された複数の操作部２Ａが設けられると共に、この複数の操作部２Ａ上面が、上ケース１上面の複数の開口孔から上下動可能に突出している。
【０００５】
そして、３は上下面に複数の配線パターン（図示せず）が形成された配線基板で、この上面に操作体２が載置されると共に、配線基板３上面にはカーボン等の複数の固定接点４Ａが設けられ、この固定接点４Ａが各操作部２Ａ下面に形成されたカーボン等の可動接点４Ｂと、所定の間隙を空けて対向して複数のスイッチ接点４が形成されている。
【０００６】
また、５は液晶パネル等の略平板状の表示体、６は導電性ゴム製の弾性導電接続体で、ケース１の表示部１Ａの下面に表示体５が配置されると共に、表示体５左右の側端部の下面と配線基板３上面の間に、弾性導電接続体６がやや撓んだ状態で弾接して載置されている。
【０００７】
なお、表示体５左右の側端部下面には複数の電極５Ａが形成されると共に、配線基板３上面には表示体５の電極５Ａに対向して複数の導電パターン７が形成され、これらに弾性導電接続体６の複数の導電部６Ａの上下面が各々弾接することによって、対応する電極５Ａと導電パターン７が各々、電気的に接続されている。
【０００８】
そして、配線基板３上下面には、発光ダイオード等のリモコン信号を送信する送信部９や、配線パターンを介して送信部９や表示体５、複数のスイッチ接点４等に接続されたマイコン等の制御部１０が形成されている。
【０００９】
また、１１はビス、１２は絶縁樹脂製の下ケースで、配線基板３がビス１１によって表示体５の前後方向の外側に配設された上ケース１下面の取付ボス１Ｂ、１Ｃに固定されると共に、上ケース１下方を下ケース１２が覆ってリモコン送信機が構成されている。
【００１０】
以上の構成において、このリモコン送信機を電子機器に向けて、操作部２Ａを押圧操作すると、操作部２Ａ下面の可動接点４Ｂが複数の固定接点４Ａに接触して、スイッチ接点４の電気的接離が行われ、この電気的接離に応じて制御部１０が、送信部９から赤外線のリモコン信号を電子機器へ送信し、例えば、エアコンの設定温度の増減等が遠隔操作によって行われる。
【００１１】
そして、リモコン送信機の表示部１Ａに表示体５によって表示された設定温度や風量や風向などの様々な機能の設定状態を視認して、必要に応じて所定の操作部２Ａ等を操作することによって、電子機器を意図する設定に切換えるように構成されている。
【００１２】
なお、このようなリモコン送信機においては、一般的に多機能の操作表示を行う上で表示体５は前後方向に長い長方形で、表示体５の左右方向の両側端は上ケース１の左右方向の幅の制約上、上ケース１の内側面に接近して配置されているため、表示体５の中間位置では上ケース１に配線基板３を直接、ビス固定するスペースが設け難く、上述のように、表示体５の前後方向の外側で上ケース１下面に複数の取付ボス１Ｂ、１Ｃを配設して、これらの取付ボス１Ｂ、１Ｃに配線基板３がビス固定されている。
【００１３】
したがって、配線基板３の前後方向におけるビス固定位置の間隔が大きく、表示体５や弾性導電接続体６及びスペーサ８を挟んで上ケース１に固定された配線基板３は、周囲温度や湿度などの使用条件によっては、上ケース１や下ケース１２及び配線基板３などの膨張や収縮に起因する配線基板３の下方向への反りが生じて、この反りにより弾性導電接続体６による配線基板３や表示体５との弾接力が小さくなるため、これらの電気的接続が不安定なものになり易いものであった。
【００１４】
なお、この出願の発明に関連する先行技術文献情報としては、例えば、特許文献１が知られている。
【特許文献１】特開２００４−１３８７８２号公報
【発明の開示】
【発明が解決しようとする課題】
【００１５】
しかしながら、上記従来のリモコン送信機においては、表示体５の前後方向の外側で上ケース１下面に配設された複数の取付ボス１Ｂ、１Ｃに配線基板３がビス固定されて装着され、これらの固定位置の間隔が大きいため、周囲温度や湿度などの使用条件によっては配線基板３に下方向への反りが生じて、弾性導電接続体６による配線基板３や表示体５との弾接力が小さくなるため、これらの電気的接続が不安定なものになり易いという課題があった。
【００１６】
本発明は、このような従来の課題を解決するものであり、配線基板の反りを抑制して、表示体と配線基板との電気的接続が確実で、安定した表示が可能なリモコン送信機を提供することを目的とする。
【課題を解決するための手段】
【００１７】
上記目的を達成するために本発明は以下の構成を有するものである。
【００１８】
本発明の請求項１記載の発明は、絶縁樹脂製で略直方体の補強体を、略平板状の表示体と配線基板との間に配置すると共に、表示体の側端部下面と配線基板との間に配設されこれらに弾接した弾性導電接続体に隣接させ、上記表示体の長手方向の外側で上記配線基板をケースにビスにより固定し、上記配線基板が上記ケースに固定された上記長手方向の位置の少なくとも略中間位置で、かつ上記弾性導電接続体の内側で、上記配線基板を上記補強体にビスにより固定して、上記配線基板を上記補強体の底面に当接固定させてリモコン送信機を構成したものであり、配線基板が略直方体の補強体の底面に当接固定されることによって、配線基板がその上面を剛性のある補強体に支持されて配線基板の下方向への反りが抑制されると共に、弾性導電接続体に補強体が隣接することにより、上下方向にやや撓んだ状態の弾性導電接続体の内側への反りや倒れを防ぐため、弾性導電接続体による配線基板と表示体との弾接力はほぼ一定に保たれ、配線基板と表示体との電気的接続が確実で、安定した表示が可能なリモコン送信機を得ることができるという作用を有する。
【００１９】
請求項２記載の発明は、請求項１記載の発明において、絶縁樹脂製の補強体を、略額縁状の枠部内に複数の桟部を格子状に配列して一体に形成したものであり、補強体に所望の剛性を容易に持たせることができ、使用材料が少なく軽量のものにできると共に、補強体自体の反りが少なく平面状のものに形成し易いという作用を有する。
【発明の効果】
【００２０】
以上のように本発明によれば、配線基板の反りを抑制して、表示体と配線基板との電気的接続が確実で、安定した表示が可能なリモコン送信機を実現できるという有利な効果が得られる。
【発明を実施するための最良の形態】
【００２１】
以下、本発明の実施の形態について、図１及び図２を用いて説明する。
【００２２】
なお、背景技術の項で説明した構成と同一構成の部分には同一符号を付して、詳細な説明を簡略化する。
【００２３】
（実施の形態）
図１は本発明の一実施の形態によるリモコン送信機の断面図、図２は同分解斜視図であり、同図において、１は下面開口の略箱型でポリスチレンやＡＢＳ等の絶縁樹脂製の上ケース、２はゴムやエラストマー等の操作体で、操作体２には下方の略ドーム状の薄肉部によって、連結形成された複数の操作部２Ａが設けられると共に、この複数の操作部２Ａ上面が、上ケース１上面の複数の開口孔から上下動可能に突出している。
【００２４】
そして、３は紙フェノールやガラス入りエポキシ等の配線基板で、上下面に銅箔等によって複数の配線パターン（図示せず）が形成され、この上面に操作体２が載置されると共に、配線基板３上面にはカーボン等の複数の固定接点４Ａが設けられ、この固定接点４Ａが各操作部２Ａ下面に形成されたカーボン等の可動接点４Ｂと、所定の間隙を空けて対向して複数のスイッチ接点４が形成されている。
【００２５】
また、５は略平板状で前後方向に長い長方形の液晶パネル等の表示体、６はシリコーンゴム等にカーボン等を分散した導電層である導電部６Ａとシリコーンゴムの絶縁層が所定間隔で横方向に積層されて形成された弾性導電接続体で、ケース１の表示部１Ａ下方に表示体５が配置されると共に、表示体５左右の側端部下面と配線基板３上面の間に弾性導電接続体６がやや撓んだ状態で弾接して載置されている。
【００２６】
なお、表示体５左右の側端部の下面には複数の電極５Ａが形成されると共に、配線基板３上面には表示体５の電極５Ａに対向して複数の導電パターン７が形成され、これらに弾性導電接続体６の複数の導電部６Ａの上下面が各々弾接することによって、対応する電極５Ａと導電パターン７が電気的に接続されている。
【００２７】
そして、２０は略直方体でポリスチレンやＡＢＳ等の絶縁樹脂製の補強体で、略額縁状の枠部２０Ａ内に複数の桟部２０Ｂが格子状に配列して一体に形成されると共に、前後方向の略中間位置の左右側端部の近傍には取付孔２０Ｃが設けられている。
【００２８】
なお、この補強体２０を略額縁状の枠部２０Ａ内に複数の桟部２０Ｂを格子状に配列させて一体に形成することにより、比較的容易に補強機能としての所望の剛性を持たせることができると共に、単なる厚板で形成する場合に比べ、使用材料が少なく軽量のものにすることができ、補強体自体の反りが少なく底面を平面状に形成し易くできる。
【００２９】
また、補強体２０は左右の弾性導電接続体６に左右側面の枠部２０Ａが接触又は接近している隣接した状態で収納され、上下方向にやや撓んだ状態の弾性導電接続体６の内側への反りや倒れを防いでいる。
【００３０】
そして、配線基板３上下面には、発光ダイオード等のリモコン信号を送信する送信部９や、配線パターンを介して送信部９や表示体５、複数のスイッチ接点４等に接続されたマイコン等の制御部１０が形成されている。
【００３１】
そして、操作体２や補強体２０、弾性導電接続体６及び表示体５等が上ケース１内側の所定箇所に配置された状態で、配線基板３がビス１１によって上ケース１に装着されると共に補強体２０に固定されている。
【００３２】
つまり、表示体５の前後方向の外側で上ケース１下面に複数の取付ボス１Ｂ、１Ｃが突出して形成され、配線基板３には取付ボス１Ｂ、１Ｃに対応した貫通孔３Ａ、３Ｂと、貫通孔３Ａと３Ｂの略中間位置に補強体２０の取付孔２０Ｃに対応した貫通孔３Ｃが形成されて、配線基板３が取付ボス１Ｂ、１Ｃに貫通孔３Ａ、３Ｂを挿通したビス１１により固定されて上ケース１に装着されると共に、貫通孔３Ｃを挿通したビス１１により補強体２０の取付孔２０Ｃに固定されている。
【００３３】
また、１２は絶縁樹脂製の下ケースで、配線基板３が装着された上ケース１の下方を下ケース１２が覆って、リモコン送信機が構成されている。
【００３４】
以上の構成において、このリモコン送信機を電子機器に向けて、操作部２Ａを押圧操作すると、操作部２Ａ下面の可動接点４Ｂが複数の固定接点４Ａに接触して、スイッチ接点４の電気的接離が行われ、この電気的接離に応じて制御部１０が、送信部９から赤外線のリモコン信号を電子機器へ送信し、例えば、エアコンの設定温度の増減等が遠隔操作によって行われる。
【００３５】
そして、リモコン送信機の表示部１Ａに表示体５により表示された設定温度や風量や風向などの様々な機能の設定状態を視認して、必要に応じて所定の操作部２Ａ等を操作することによって、電子機器を意図する設定に切換えるように構成されている。
【００３６】
なお、このようなリモコン送信機において、周囲が高温下または低温下もしくは高湿や乾燥状態などの使用条件で用いられた場合には、上方の弾性導電接続体６による弾接に加え、絶縁樹脂製の上ケース１や下ケース１２あるいは配線基板３自体の膨張または収縮などによって、配線基板３が下方へ反る傾向が強くなることがある。
【００３７】
そして、この時、配線基板３は上ケース１の取付ボス１Ｂ、１Ｃにビス固定されると共に、取付ボス１Ｂ、１Ｃ間に配置された補強体２０の略中間位置にある取付孔２０Ｃにビス１１により固定され、補強体２０の平面状の底面に当接支持されているため、補強体２０の剛性によって配線基板３の下方への反りが生じ難くなっている。
【００３８】
すなわち、配線基板３が表示体５の外側に配設された取付ボス１Ｂ、１Ｃの間と、左右の弾性導電接続体６間からなる領域に、剛性を有する補強体２０底面に当接して固定され、配線基板３上面は補強体２０に支持されているため、補強体２０側への曲がりは抑制される。
【００３９】
したがって、配線基板３上面と表示体５の側端部下面に接触している全範囲に亘り、弾性導電接続体６はほぼ均等に撓んだ状態で弾接し、複数の導電パターン７と複数の電極５Ａは弾性導電接続体６の導電部６Ａに一定の弾接力で接触すると共に、補強体２０が隣接する弾性導電接続体６の内方への倒れや反りが少ないため、配線基板３の導電パターン７と表示体５の電極５Ａの電気的接続が確実なものとなっている。
【００４０】
なお、補強体を絶縁樹脂製の厚板のもので形成しても、本発明の実施は可能であるが、上記のように補強体２０を略額縁状の枠部２０Ａ内に複数の桟部２０Ｂを格子状に配列させて一体に形成することにより、容易に所望の剛性を持たせることができると共に、単なる厚板で形成する場合に比べ、使用材料が少なく軽量で補強体自体の反りが少なく底面を平面状のものにできる。
【００４１】
このように本実施の形態によれば、絶縁樹脂製で略直方体の補強体２０を、略平板状の表示体５と配線基板３との間に配置すると共に、表示体５の側端部下面と配線基板３との間に配設されこれらに弾接した弾性導電接続体６に隣接させ、この補強体２０の底面に配線基板３を当接固定することによって、表示体５の前後方向の外側で上ケース１にビス固定された配線基板３が、加えて補強体２０の底面に当接固定され、配線基板３がその上面を剛性のある補強体２０に支持されて、配線基板の下方向への反りが抑制されると共に、弾性導電接続体６に補強体２０が隣接することにより、上下方向にやや撓んだ状態の弾性導電接続体６の内側への反りや倒れを防ぐため、弾性導電接続体６による配線基板３と表示体５との弾接力はほぼ一定に保たれ、配線基板３と表示体５との電気的接続が確実で、安定した表示が可能なリモコン送信機を得ることができるものである。
【００４２】
そして、以上の説明では、弾性導電接続体６を表示体５左右の側端部下面に配置したものとして説明したが、表示体５の一方の側端部下面のみに弾性導電接続体６を配置して、補強体２０の一側面を弾性導電接続体６に隣接させると共に、他側面を例えば上ケース１下面から突出させたリブに当接させ、この補強体２０に配線基板３を固定した構成としても、本発明の実施は可能である。
【００４３】
また、以上の説明では、弾性導電接続体６を表示体５左右の側端部下面と配線基板３上面に弾接するように配置して、表示体５の下方に配置された補強体２０の前後方向の略中間位置に配線基板３を当接固定し、配線基板３の下方向への反りを抑制する構成として説明したが、例えば、表示体が左右方向に長い長方形で、表示体の前後の側端部下面に弾性導電接続体が配置されたリモコン送信機においては、表示体の下方に配置された補強体の左右方向の略中間位置に配線基板を当接固定させて、配線基板の下方向への反りを抑制する構成としても良い。
【００４４】
さらに、以上の説明では、補強体２０の略中間位置の取付孔２０Ｃに配線基板３をビス固定する構成として説明したが、補強体の取付孔を前後方向の２箇所以上の複数の位置に設けて、配線基板を補強体に複数の箇所でビス固定することによって、ビスの部品数や取付け時間は増加するが、配線基板をより強固に補強体に当接固定することができる。
【産業上の利用可能性】
【００４５】
本発明によるリモコン送信機は、表示体と配線基板との電気的接続が確実で、安定した表示が可能なものが得られ、主に各種電子機器の遠隔操作用として有用である。
【図面の簡単な説明】
【００４６】
【図１】本発明の一実施の形態によるリモコン送信機の断面図
【図２】同分解斜視図
【図３】従来のリモコン送信機の断面図
【図４】同分解斜視図
【符号の説明】
【００４７】
１  上ケース
１Ａ  表示部
１Ｂ、１Ｃ  取付ボス
２  操作体
２Ａ  操作部
３  配線基板
３Ａ、３Ｂ、３Ｃ  貫通孔
４  スイッチ接点
４Ａ  固定接点
４Ｂ  可動接点
５  表示体
５Ａ  電極
６  弾性導電接続体
６Ａ  導電部
７  導電パターン
９  送信部
１０  制御部
１１  ビス
１２  下ケース
２０  補強体
２０Ａ  枠部
２０Ｂ  桟部
２０Ｃ  取付孔
【図１】
0005176615.tif 000002
【図２】
0005176615.tif 000003
【図３】
0005176615.tif 000004
【図４】
0005176615.tif 000005